(57)【要約】      （修正有）【課題】プリズム本体がフロントガラスの弧度に応じて適切な形に折れ曲がり、レインセンサーの感度に影響を及ぼさずにフロントガラスに完全に貼り合わせることのできるレインセンサーの軟性プリズムを提供する。【解決手段】軟性材質のプリズム本体１０を、本体２０、フレーム２１、両面テープ２２、支持物及びプリズム本体１０と対応する貫通孔を有するレインセンサーに設置すると共に、前記レインセンサーと前記プリズム本体１０を車用のフロントガラス５０に設置できるに構成しており、プリズム本体１０は軟性の材質なので、フロントガラス５０の弧度に応じて適切な形に折り曲がり、空気や水分等の気泡がプリズム本体１０とフロントガラス５０の間に入りこむこともなく、プリズム本体１０をフロントガラス５０上に完全に密着させて、レインセンサーの感度に影響を及ぼさないようにする事ができる。【選択図】図２
0003142405.tif 000002
【実用新案登録請求の範囲】
【請求項１】
軟性材質のプリズム本体をレインセンサーに設置すると共に、前記レインセンサーと前記プリズム本体を車用のフロントガラスに固定すると、プリズム本体が軟性の材質であるためフロントガラスの弧度に応じて適切な形に折り曲がり、完全に貼り合わせられるということを特徴とするレインセンサーの軟性プリズム。
【考案の詳細な説明】
【技術分野】
【０００１】
本考案はレインセンサーの軟性プリズムに関し、特に粘着物や加工を一切必要としないでフロントガラスに完全に貼り合わせることができるレインセンサーに関する。
【背景技術】
【０００２】
多くのドライバーは、雨天走行時にたびたび発生するワイパーの速度調整に煩わしさを感じていると思われる。気が散りやすくなるだけでなく、安全運転に悪影響を及ぼすことになる。
【０００３】
一般的なレインセンサー式ワイパーシステムの功能は、ドライバーが雨の強さや車の速度に応じて一々ワイパーの速度を調整しなければならない煩わしさを軽減させられることであり、フロントガラス上のレインセンサーが雨量がどれくらいかを測定し、車の速度や雨量に応じて自動的にワイパーの速度を調整することで、ドライバーの運転の利便性と視界を改善し、運転時の危険性を大幅に減らすことができる。
【０００４】
フロントガラス上に設置したレインセンサーはプリズムを有し、背面テープを利用したりガラスを加温処理したりすることで、プリズムをフロントガラスにくっつけることができるが、プリズムは硬性の材質であるため、弧度をもつフロントガラスには完全に貼り合わせることはできず、プリズムを完全に密着させられないという問題が発生してしまう。背面テープの使用は空気や水分を進入させ気泡を生じさせやすく、光学の歩留率の低さや光の屈折等の反応を引き起こし、レインセンサーの感度に影響を及ぼす。その他にも、背面テープの材質は長い間太陽の下に晒されると材質が変質してしまい、導光の機能に影響を与え、レインセンサーが効力を失いワイパーの誤作動を招いてしまう。
【考案の開示】
【考案が解決しようとする課題】
【０００５】
本考案は、弧度を有するフロントガラスに完全に貼り合わせることのできるレインセンサーの軟性プリズムを提供することを目的とする。
【０００６】
上記目的を達成するためのレインセンサーの軟性プリズムでは、軟性の材質のプリズム本体を車用のフロントガラスに貼り合わせる。プリズム本体は軟性の材質であるため、プリズム本体がフロントガラスの弧度に応じて適切な形に折れ曲がることにより、完全に貼り合わせるという目的を達成することができる。従って、空気や水分が軟性プリズムとフロントガラスの間に入り込むことによる気泡を生じさせることがないので、レインセンサーの感度に影響を及ぼすことがない。
【課題を解決するための手段】
【０００７】
本考案のレインセンサーの軟性プリズムは、軟性材質のプリズム本体をレインセンサーに設置すると共に、前記レインセンサーと前記プリズム本体を車用のフロントガラスに固定すると、プリズム本体が軟性の材質であるためフロントガラスの弧度に応じて適切な形に折り曲がり、完全に貼り合わせられることができるようにするものとしている。
【考案の効果】
【０００８】
本考案のプリズム本体は軟性の材質であるため、プリズム本体がフロントガラスの弧度に応じて適切な形に折れ曲がることにより、完全に貼り合わせるという目的を達成することができる。従って、空気や水分が軟性プリズムとフロントガラスの間に入り込むことによる気泡を生じさせることがないので、レインセンサーの感度に影響を及ぼすことがない。
【考案を実施するための最良の形態】
【０００９】
図１、図２で示すように、レインセンサーの軟性プリズムでは、ガラスに対して貼りつく性質を有する軟性材質のプリズム本体１０をレインセンサー上に設置する。前記レインセンサーは、本体２０、フレーム２１、両面テープ２２、支持物２３及びプリズム本体１０と対応する貫通孔２４を有する。前記、本体２０は支持物２３の上に設置され、前記両面テープ２２はフレーム２１に対応しフレーム２１上に貼り付けられる。前記支持物２３はフレーム２１上に取り付けられ、貫通孔２４はフレーム２１、両面テープ２２、及び支持物２３のそれぞれが対応する位置に存在する。
【００１０】
前記レインセンサーをフロントガラス５０に取り付ける手順は以下の通りである。まず、両面テープ２２の一面をフレーム２１上に貼り付け、別の一面をフロントガラス５０に貼り付けることで、フレーム２１をフロントガラス５０上に固定させる。次に、プリズム本体１０を貫通孔２４に通しフロントガラス５０に貼り付ける。最後に、支持物２３をフレーム２１上に固定させることでプリズム本体１０を固定し、本体２０を支持物２３上に設置すれば完成である。
【００１１】
プリズム本体１０は弧度を有するフロントガラス５０上に貼り合わせる。プリズム本体１０は軟性の材質であるため、プリズム本体１０はフロントガラス５０の弧度に応じて適切な形に折れ曲がり、フロントガラス５０に完全に密着して貼り合わせることができる。従って、空気や水分がプリズム本体１０とフロントガラス５０の間に入り込むことによる気泡を生じさせず、本体２０のセンサーに影響を与えない。
【００１２】
図３に示すように、本考案はレインセンサー式ワイパーシステムに応用できる。前記システムはレインセンサー６０、制御装置３０及びワイパー４０を有する。前記レインセンサー６０はフロントガラス５０上にあり、コードを制御装置３０に接続する。前記制御装置３０はワイパー４０の作動を操作するためにある。雨の強さや車の速度が変化するに従って、レインセンサー６０は雨量がどのくらいかを測定し、信号を制御装置３０に伝えることで、制御装置３０は自動的にワイパー４０の頻度を調整する。
【００１３】
プリズム本体１０は軟性の材質であるため、弧度を有するフロントガラス５０上に完全に貼り合わせることができ、プリズム本体１０とフロントガラス５０の間に空気や水分が入り込むことによる気泡を生じさせなくする。これにより、光学歩留率の低さや光の屈折といった反応が発生し本体２０に影響を与えるのを防ぐので、レインセンサー６０がワイパー４０に誤った指令を伝えるのを避けるのに効果がある。
【００１４】
上記で述べたことを総合すると、以下のようになる。本考案のレインセンサーの軟性プリズムは粘着物なしでフロントガラス５０に貼り付けることができる。プリズム本体１０は接着力が強く長く使用しても変質しないために、導光の機能に影響しない。従って、プリズム本体１０を頻繁に交換する必要がなくなる。そのほかにも、プリズム本体１０はフロントガラス５０に完全に密着しているので、空気や水分がプリズム本体１０とフロントガラス５０の間に入り込んで気泡を生じさせるようなことがないので、レインセンサー６０の感度に影響を与えない。
【図面の簡単な説明】
【００１５】
【図１】本考案レインセンサーの軟性プリズムとフレーム、両面テープ及び支持物の立体分解図。
【図２】フロントガラスに貼り合わせた本考案プリズム本体を上から見た図。
【図３】本考案のレインセンサー式ワイパーシステムへの応用の立体図。
【符号の説明】
【００１６】
１０  プリズム本体
２０  本体
２１  フレーム
２２  両面テープ
２３  支持物
２４  貫通孔
３０  制御装置
４０  ワイパー
５０  フロントガラス
６０  レインセンサー
【図１】
0003142405.tif 000003
【図２】
0003142405.tif 000004
【図３】
0003142405.tif 000005